(57)【要約】      （修正有）【課題】花粉症や感冒などで鼻水の流出が止まらないときに、既製品のマスクの下に鼻に被せるように装着し、鼻水の流出を防止することにより、鼻をかむ回数を減少させるとともに、マスクの汚れを防止する鼻型のインナーパッドを提供する。【解決手段】鼻孔部分に吸水性の高い素材を使用し、全体が鼻の表面に沿う形状をした容易に着脱できるインナーパッド１を既製品のマスク２の下で鼻に被せるように装着し、一定時間鼻水の流出を抑え、鼻をかむ回数を減少させることにより、花粉症や感冒時の不快感を軽減する。また、マスクの汚れを防止し本考案のインナーパッドのみの交換によりマスク内の衛生を保つ。【選択図】図１
0003140007.tif 000002
【実用新案登録請求の範囲】
【請求項１】
既製品のマスクの下に装着して使用する、鼻の表面を覆う形を特長とした、不織布・パルプ素材・布素材・高吸水性樹脂などで構成された鼻水吸収用の鼻型インナーパッド。
【請求項２】
鼻孔に接触する部分に鼻の穴に挿入する柱状の突起部を設け、鼻水の吸水量の増加や本体装着時の安定性を高めた請求項１の鼻型インナーパッド。
【請求項３】
本体に吸収された鼻水が外部に染み出すことを防ぐために、本体表面に防水加工を施した請求項１及び２の鼻型インナーパッド。
【請求項４】
本体に粘着質の素材を使用し、マスクまたは皮膚に密着することによりマスク内での安定性を強化した請求項１及び２、３の鼻型インナーパッド。
【請求項５】
本体にメントールなどの清涼剤や芳香剤、また肌荒れ防止用の保湿クリームなどや炎症治療の薬剤などを添加した請求項１及び２、３、４の鼻型インナーパッド。
【考案の詳細な説明】
【技術分野】
【０００１】  本考案は、マスク装着時にマスクの下で鼻に被せるように装着し、鼻水を吸収させ流出を防ぐための鼻の形をしたことを特長とする鼻型インナーパッドに関するものである。
【背景技術】
【０００２】  花粉症や感冒で鼻水が止まらない時、マスクをしていてもマスクやガーゼでは吸収しきれず鼻水が外部に流れ出てきてしまい、ティッシュを詰めたり頻繁に鼻をかんだりしなければならなかった。また、すぐにマスクやガーゼも汚れてしまい見苦しく不衛生で交換しなければならなかった。
【考案の開示】
【考案が解決しようとする課題】
【０００３】  鼻水の流出を防ぐためマスク内や鼻の穴にティッシュを詰めたり、頻繁に鼻をかむことは、人前で見苦しい上、当人にとっても大変煩わしく、その都度仕事が中断されることは非常に不快なことである。さらに汚れてしまったマスクやガーゼを頻繁に交換することも不経済である。本考案は、吸水性のインナーパッドで一定時間、鼻水の流出を防ぐことにより鼻をかむ頻度を減少させ不快感の緩和を図るとともに、汚れたインナーパッドのみを容易に交換することによりマスクやガーゼを汚さず衛生に保つためになされたものである。【０００４】  他の特許文献や市販品で、鼻腔挿入型の鼻水防止具の発明・考案が幾つか見られるが、鼻の穴に物を詰めるという行為は見栄えが悪い上、異物感もあり敬遠されがちであった。また、交換時にも衛生的ではなかった。
【課題を解決するための手段】
【０００５】  既製品のマスク装着時にマスクの下に鼻の表面を覆う形をした、不織布・パルプ素材・布素材・高吸水性樹脂などで構成された鼻水吸収用の鼻型インナーパッドを装着する。インナーパッドの鼻孔部分は高吸水性樹脂素材など吸水性の高い素材とし、全体は不織布やパルプ・布素材で一定の強度を持つ、鼻の頭頂部を中心に鼻の表面に沿う形とし、鼻に被せることによりマスク内での安定を確保する。このインナーパッド装着によりある程度の鼻水は吸収され外部への流出を防止でき、一定時間、鼻をかむ必要も無くなる。また、時々汚れたインナーパッドのみを交換することでマスクやガーゼの衛生は保たれる。
【考案の効果】
【０００６】  上述のように、本考案の鼻水吸収用鼻型インナーパッドを装着することにより、鼻をかむ頻度を減少させ、その煩わしさを軽減できる。また、その形状から装着していることは外部から目立たず、脱着も容易なため交換にも手間がかからない。さらに小型軽量であるため交換用に相当数携帯するにも便利である。【０００７】  また、この鼻型の形状により鼻孔が塞がれ、新たな花粉や病原菌の侵入を防ぐことが出来るので、予防や症状の悪化を防ぐ効果もある。
【考案を実施するための最良の形態】
【０００８】  全体の鼻の表面に沿う形状は不織布又はパルプ素材・布素材などで構成され、ある程度の強度を持たせることによって、既製のマスクの下で鼻に被せるだけで安定が保たれるようにする。鼻孔部分では鼻孔の凹凸に合わせた形状でフィットさせ鼻水の流出を防止し、高吸水性樹脂などの吸水性に富んだ素材を使用することによって、鼻孔から上唇までの空間を利用して最大の吸水量を確保する。
【実施例】
【０００９】  以下、添付図面に従って一実施例を説明する。図１のように既製品のマスクの下において本体１を鼻に被せるように装着する。通常の耳にかけるタイプのマスクであれば既製品の大部分に適用できる。【００１０】  全体は不織布・パルプ素材・布素材などで構成され、図２、図３のように形状は鼻の表面形状に沿う形とし、ある程度の強度を持たせることによってマスク内で鼻に被せるだけで安定が保たれる。この形状によって装着時にも外部からは目立たず、又、着脱が容易であるためマスクを着けたまま交換も可能である。鼻の大きさなど個人差を考慮して数種類（Ｓ／Ｍ／Ｌ等）のサイズを用意する。【００１１】  図３の本体内部（肌接触面）は、鼻孔部分１ａを吸水性の高い素材とし、且つ鼻水の漏出を防ぐために鼻孔接触面１ｂは鼻孔の凹凸形状に合わせた形とする。この形状により鼻水の流出を防ぐことができ、ある程度の時間、鼻をかむことなく過ごすことが出来る。鼻水が溜まってきたら本考案のインナーパッドのみを交換することによって、マスク内は衛生に保たれる。【００１２】  また、鼻孔接触面１ｂの凸形状を鼻孔内に挿入させる柱状として鼻水の吸水量の増加を図ることも出来る。（請求項２）【００１３】  本体表面部に防水加工を施せば、吸収された鼻水の本体表面への漏出を防ぎ、マスク内をより衛生に保てる。（請求項３）【００１４】  本体１の表面又は内面１ｃに粘着質の素材を使用することにより、マスク又は皮膚に密着させ、マスク内での安定を強化することも出来る。（請求項４）【００１５】  本体鼻孔部分１ａ、１ｂにメントールなどの清涼剤や芳香剤を添加したり、本体内部の鼻肌接触面１ｃに肌荒れ防止や炎症治療目的の保湿クリームなどの薬剤を添加したりすることによって、花粉症や感冒時など諸々の症状緩和に役立てることも出来る。（請求項５）【００１６】  全体の構成素材に関しては様々な仕様が考えられるが、定期的に交換し使用済みは廃棄する使い捨てでの使用が衛生的であり、一日に複数使用することからその経済性を考慮したコストでの製造が望まれる。
【産業上の利用可能性】
【００１７】  本考案はその利用に際して、着脱の容易さ、装着時の心地よさ、目立たない事などを考慮した考案であり、現在、一般的に使われている尿漏れパッドや生理用ナプキンと同様に、容易に装着することによって鼻水による諸々の煩わしさを軽減できることから、一般に認知されれば、手軽な花粉症対策製品となりうると考える。【００１８】  比較的低コストで生産でき安価で提供できるため、使い捨てでの使用に適する。また、非常に小型軽量であるため相当数の携帯にも便利である。【００１９】  本考案の形状から市販品マスクの大部分で使用可能なため、利用範囲も広い。
【図面の簡単な説明】
【００２０】
【図１】本考案の一般的な使用例である。（既製マスク部分は透視図）
【図２】本体外側の斜視図である。
【図３】本体内側の斜視図である。
【図４】本体装着時の鼻部断面図である。（マスクは省略）
【符号の説明】
【００２１】１    本体
１ａ  本体鼻孔部分
１ｂ  本体鼻孔接触面
１ｃ  本体鼻肌接触面
２    既製品マスク（マスク部は透明で描写）
Ａ    鼻腔部断面
【図１】
0003140007.tif 000003
【図２】
0003140007.tif 000004
【図３】
0003140007.tif 000005
【図４】
0003140007.tif 000006